(57)【要約】【課題】就寝中の電子メールの受信を起床直後に直観的に認識できるようにする。【解決手段】通信端末装置（１）は、就寝中に電子メールを受信した場合に、起床時に第１のアラーム音を出力させ、電子メールを受信していない場合に、起床時に第２のアラーム声を出力させる。【選択図】図１
2014146858.tif 000002
【特許請求の範囲】
【請求項１】
アラーム機能を有する通信端末装置において、
通信により情報を受信する通信部と、
所定期間を指定する期間指定部と、
アラーム音を出力する音声出力部と、
前記所定期間の経過後に、前記通信部にて前記所定期間内に前記情報の受信があった場合に、第１のアラーム音が出力され、前記通信部にて前記所定期間内に前記情報の受信がなかった場合に、第２のアラーム音が出力されるように、前記音声出力部を制御する音声切替制御部とを備えていることを特徴とする通信端末装置。
【請求項２】
前記音声切替制御部は、前記所定期間の経過後に、前記所定期間内に前記情報の受信があった場合であって、前記情報の送信者が特定の送信者である場合に、第３のアラーム音が出力され、前記情報の送信者が特定の送信者以外である場合に、第１のアラーム音が出力されるように、前記音声出力部を制御することを特徴とする請求項１に記載の通信端末装置。
【請求項３】
前記音声切替制御部は、前記所定期間内に特定の送信者からの前記情報の受信があった場合に、所定のアラーム音が出力されるように、前記音声出力部を制御することを特徴とする請求項１または２に記載の通信端末装置。
【請求項４】
複数の色による発光が可能な発光装置を備え、
前記音声切替制御部は、前記所定期間の経過後に、前記所定期間内に前記情報の受信があった場合に、第１の色による発光が行われ、前記所定期間内に前記情報の受信がなかった場合に、第２の色による発光が行われるように、前記発光装置を制御することを特徴とする請求項１から３に何れかに記載の通信端末装置。
【請求項５】
アラーム機能を有する通信端末装置のアラーム鳴動方法において、
通信により情報を受信する工程と、
所定期間を指定する期間指定工程と、
前記アラーム音を出力する音声出力工程と、
前記音声出力工程において、前記所定期間の経過後に、前記所定期間内に前記情報の受信があった場合に、第１のアラーム音を出力させ、前記所定期間内に前記情報の受信がなかった場合に、第２のアラーム音を出力させる音声切替制御工程とを備えていることを特徴とする通信端末装置のアラーム鳴動方法。
【発明の詳細な説明】
【技術分野】
【０００１】
本発明は、アラーム機能を備えた通信端末装置および通信端末装置のアラーム鳴動方法に関する。
【背景技術】
【０００２】
従来の通信端末装置には、設定時刻の到来を示すアラーム機能を備えたものがある。この種の装置は、鳴動させる音の種類を複数備え、個々の音を予め記憶されている個々の情報と結びつけることで、情報に応じた音により鳴動するようにしたものが多い。
【０００３】
例えば、特許文献１に記載の構成では、スケジュール機能に登録した特定の予定事項に対して、登録時刻になると、予定事項の内容に応じた音を鳴動させるようになっている。
【０００４】
また、特許文献２に記載の構成では、スケジュール機能に登録した予定事項に対して、予定通知のアラーム音を電話の着信音と同時に変更できるようになっている。
【先行技術文献】
【特許文献】
【０００５】
【特許文献１】特開２００３−２４４２８３号公報（２００３年０８月２９日公開）
【特許文献２】特開２００８−１４８２０５号公報（２００８年０６月２６日公開）
【発明の概要】
【発明が解決しようとする課題】
【０００６】
携帯通信端末装置など、通信端末装置のユーザにとっては、例えば、受信した電子メールを随時確認するために、電子メールを受信する度に電子メール受信時の着信音（以下、電子メール着信音と称する）が鳴動されることが好ましい。一方、例えば就寝中においては、睡眠を妨げられたくないので、電子メール着信音が停止されることが好ましい。しかしながら、単に、電子メール着信音を停止するのみでは、起床時に、通信端末装置を操作して電子メールの受信の有無を確認しなければならない。
【０００７】
このため、アラーム機能を備えた通信端末装置においては、就寝中などの所定期間中には、情報の受信を示す電子メール着信音を停止することができ、所定期間の経過後には、通信端末装置を操作することなく、直感的に情報の受信の有無を認識することがきる構成が望まれる。このような要望に対し、特許文献１，２に記載の構成では対応することができない。
【０００８】
したがって、本発明は、所定期間の経過後に、所定期間中の情報の受信の有無を直感的に認識させることができる通信端末装置および通信端末装置のアラーム鳴動方法の提供を目的としている。
【課題を解決するための手段】
【０００９】
上記の課題を解決するために、本発明の一態様に係る通信端末装置は、アラーム機能を有する通信端末装置において、通信により情報を受信する通信部と、所定期間を指定する期間指定部と、複数のアラーム音を設定する音声切替設定部と、前記アラーム音を鳴動させる音声出力部と、前記所定期間の経過後に、前記所定期間内に前記情報の受信があった場合に、前記音声切替設定部にて設定された第１のアラーム音が鳴動し、前記所定期間内に前記情報の受信がなかった場合に、音声切替設定部にて設定された第２のアラーム音が鳴動するように、前記音声出力部を制御する音声切替制御部とを備えていることを特徴としている。
【発明の効果】
【００１０】
本発明の一態様によれば、所定期間の経過後には、直感的に情報の受信の有無を認識することができる。
【図面の簡単な説明】
【００１１】
【図１】本発明の実施形態に係る通信端末装置の概略構成ブロック図である。
【図２】図１に示した音声切替制御部の構成ブロック図である。
【図３】図１に示した通信端末装置の音声切替制御処理を示すフローチャートである。
【図４】図１に示した通信端末装置において、ユーザが就寝中の電子メールの受信の有無を認識する様子を示す概念図である。
【図５】本発明の他の実施形態に係る通信端末装置の音声切替制御処理を示すフローチャートである。
【図６】本発明のさらに他の実施形態に係る通信端末装置の音声切替制御処理を示すフローチャートである。
【発明を実施するための形態】
【００１２】
〔実施形態１〕
本発明の一実施形態について説明すれば以下の通りである。
【００１３】
＜通信端末装置１の構成＞
図１は、本実施の形態に係る通信端末装置１の概略構成ブロック図である。本実施形態の通信端末装置１は、例えばスマートフォンや携帯電話機などの携帯型のものであり、アラーム機能を備えている。このアラーム機能は通信端末装置１に予め組み込まれているものであってもよい。あるいは、ダウンロードなどの方法によって外部から通信端末装置１に組み込まれたアプリケーションソフトであってもよい。
【００１４】
図１に示すように、通信端末装置１は、音声切替制御部１１、操作部１３、記憶部１４、音声出力部１５および表示部１６を備えている。
【００１５】
音声切替制御部１１はＣＰＵ等からなり、音声切替を制御する。この音声切替制御部１１の詳細については後述する。
【００１６】
通信部１２は、電子メールを受信するパケット通信部１２１を備えている。通信部１２は、電子メールを受信した場合に、その旨を音声切替制御部１１に通知する。なお、本実施形態において、通信端末装置１が受信する情報は、電子メールを例に説明するが、その他、電話の不在着信やネットワークサービスとしてのニュース配信などの、通信端末装置１に配信される情報であってもよい。
【００１７】
記憶部１４は、音声ファイル記憶部１４１、設定値記憶部１４２および通信記憶部１４３を備える。音声ファイル記憶部１４１は、音声出力部１５で鳴動される複数の音声ファイルを保持している。設定値記憶部１４２は、ＬＥＤ（発光装置）１６１で表示される各状況に対応したランプの色についての調整値を保持している。通信記憶部１４３はパケット通信部１２１が受信した電子メールに関する情報を保持する。
【００１８】
表示部１６は、通信部１２が受信した電子メールの内容等を表示する表示画面（図示せず）、およびアラームが鳴動する場合にあわせて動作するＬＥＤ１６１を備える。
【００１９】
音声出力部１５は、音声ファイルに応じた音声（メロディ）を鳴動させるスピーカおよびアンプ等を備える。
【００２０】
操作部１３は、ユーザにより操作される入力部であり、アラーム機能設定操作部１３１、音声切替機能設定操作部（音声切替設定部）１３２および就寝開始設定操作部１３３を備える。
【００２１】
アラーム機能設定操作部１３１では、起床時刻等のアラーム機能の設定が行われる。このアラーム機能は、一般の通信端末装置が備える通常の機能である。音声切替機能設定操作部１３２では、音声切替機能のＯＮ／ＯＦＦの設定、および起床時のアラーム音の設定が行われる。本実施の形態では、音声切替機能がＯＦＦに設定された場合、起床時のアラーム音は、例えば通常のアラーム音（通常の目覚まし音）となる。ただし、このアラーム音は、音声ファイル記憶部１４１に記憶されている任意の音声ファイルが示す音に設定することも可能である。一方、音声切替機能がＯＮに設定された場合、さらに電子メールの受信の有無に応じて異なるメロディがアラーム音として設定される。ここでは、受信有の場合のアラーム音としてメロディ１が設定され、受信無の場合のアラーム音としてメロディ２が設定されるものとする。これらメロディ１，２は、音声ファイル記憶部１４１に記憶されている音声ファイルのうちから、ユーザが好みのものを設定することができる。就寝開始設定操作部１３３では、就寝開始の設定が行われる。
【００２２】
なお、本実施形態では、ユーザに操作される操作部１３が、アラーム機能設定操作部１３１、音声切替機能設定操作部１３２および就寝開始設定操作部１３３を備えている場合について示している。しかしながら、一つの操作部１３を上記の各操作部として切り替えて使用する構成であってもよい。
【００２３】
＜音声切替制御部１１＞
図２は、音声切替制御部１１の構成を示すブロック図である。
音声切替制御部１１は、図２に示すように、通信制御部１０１、アラーム設定部１０２、音声切替機能設定部（音声切替設定部）１０３、就寝開始設定部１０４、タイマー監視部１０５、音声切替部１０６、音声設定部１０７および表示設定部１０８を含んでいる。
【００２４】
通信制御部１０１は、通信部１２から電子メールを受け取り、受け取った電子メールに関する情報を通信記憶部１４３に格納する。
【００２５】
アラーム設定部１０２は、アラーム機能設定操作部１３１において設定された起床時刻等の情報を保持する。音声切替機能設定部１０３は、音声切替機能設定操作部１３２において設定された、音声切替機能のＯＮ／ＯＦＦの設定情報、およびアラーム音の設定情報等を保持する。就寝開始設定部１０４は、就寝開始設定操作部１３３において設定された就寝開始時刻の情報を保持する。タイマー監視部１０５はアラーム設定部１０２が保持する起床時刻等の設定時刻の情報からそれら時刻の到達を監視する。
【００２６】
音声切替部１０６は、タイマー監視部１０５から起床時刻への到達（設定時刻への到達）が通知されると、音声切替機能設定部１０３に設定されている音声切替機能のＯＮ／ＯＦＦ、就寝中における電子メールの受信の有無に応じて、音声出力部１５において再生される音声ファイル（アラーム音）を切り替える。なお、就寝中とは、就寝開始設定部１０４に設定されている就寝開始時刻からアラーム設定部１０２に設定されている起床時刻までの期間（所定期間）である。また、電子メールの受信の有無および送信者は、通信記憶部１４３の記憶内容によって判定可能である。
【００２７】
この場合、音声設定部１０７は、音声切替部１０６の指示に基づき、対応する音声ファイルを音声ファイル記憶部１４１から呼出して、音声出力部１５に送る。また、表示設定部１０８は、音声切替部１０６の指示に基づき、対応するＬＥＤ１６１の設定値を設定値記憶部１４２から呼出して、ＬＥＤ１６１（ＬＥＤドライバ：図示せず）に送る。
【００２８】
＜音声切替制御処理＞
図３は、通信端末装置１における音声切替制御処理を示すフローチャートである。
まず、アラーム機能設定操作部１３１において、ユーザによりアラーム機能が設定され、起床時刻が設定されると、アラーム設定部１０２は設定された起床時刻の情報を保持する（Ｓ１１）。
【００２９】
次に、音声切替機能設定操作部１３２において、ユーザにより音声切替機能のＯＮ／ＯＦＦ設定が行われる。この設定の結果、音声切替機能がＯＮであると（Ｓ１２）、電子メールの受信の有無に応じてアラーム音となる音声ファイルがそれぞれ設定されると（Ｓ１３）、音声切替機能設定部１０３は、それら設定内容を保持する。ここでは、電子メールの受信有の場合のアラーム音としてメロディ１が設定され、受信無の場合のアラーム音としてメロディ２が設定される。なお、アラーム音を設定する場合、音声ファイル記憶部１４１に記憶されている音声ファイルの情報を表示部１６に表示させ、ユーザがそれらのうちのいずれかを選択する構成であってもよい。
【００３０】
次に、就寝開始設定操作部１３３において、ユーザにより就寝開始が設定されると、就寝開始設定部１０４は、就寝開始時刻の情報を保持する（Ｓ１４）。
【００３１】
次に、タイマー監視部１０５が、アラーム設定部１０２に設定されている起床時刻への到達を確認すると（Ｓ１５）、音声切替部１０６は、通信記憶部１４３の記憶内容から、ユーザの就寝中（所定期間）における電子メール受信の有無を判定する（Ｓ１６）。
【００３２】
次に、Ｓ１６での判定の結果、就寝中に電子メールを受信していなければ（ＮＯ）、音声切替部１０６は、メロディ２を鳴動させるよう、音声設定部１０７に指示する。これにより、音声設定部１０７は、音声ファイル記憶部１４１からメロディ２の音声ファイルを取り出し、音声出力部１５に出力する。したがって、音声出力部１５はメロディ２を鳴動させ（Ｓ１７）、処理を終了する。
【００３３】
一方、Ｓ１６での判定の結果、就寝中に電子メールを受信していれば（ＹＥＳ）、音声切替部１０６は、メロディ１を鳴動させるよう、音声設定部１０７に指示する。これにより、音声設定部１０７は、音声ファイル記憶部１４１からメロディ１の音声ファイルを取り出し、音声出力部１５に出力する。したがって、音声出力部１５はメロディ１を鳴動させ（Ｓ１８）、処理を終了する。
【００３４】
また、音声切替機能のＯＮ／ＯＦＦ設定の結果、音声切替機能がＯＦＦであると（Ｓ１２）、タイマー監視部１０５が、アラーム設定部１０２に設定されている起床時刻への到達を確認すると（Ｓ１９）、通常のアラーム動作を行い（Ｓ２０）、処理を終了する。
【００３５】
上記のように、本実施形態の通信端末装置１では、就寝中（所定期間）に電子メールを受信した場合であっても、電子メールの受信を示す電子メール着信音を出力しないようにしている。
【００３６】
なお、上記の処理においては、就寝開始時刻の設定（Ｓ１４）を省略してもよい。例えば音声切替機能のＯＮ／ＯＦＦ設定においてＯＮが設定された時刻、もしくはその時刻から所定期間経過後の時刻を就寝開始時刻としてもよい。あるいは、２３時や２４時など、特定の時刻を就寝開始時刻としてもよい。あるいは、通信端末装置１が卓上ホルダに載置され、充電が開始された時刻を就寝開始時刻としてもよい。
【００３７】
また、上記の処理において、一度Ｓ１３〜Ｓ１４の処理が行われた後、同一の設定を維持する場合には、それら処理を省略できるようにしてもよい。
【００３８】
＜本実施形態の通信端末装置の有効性の説明＞
図４は、通信端末装置１において、ユーザが就寝中の電子メールの受信の有無を認識する様子を示す概念図である。
【００３９】
図４に示すように、ユーザは、就寝中の電子メールの受信の有無を、目覚ましのためのアラーム音（メロディ１とメロディ２）の違いにより、起床時に瞬時に把握することができる。すなわち、起床直後の脳が活性化されていない状況において、ユーザが通信端末装置１に対して何等かの操作を行うことなく、ユーザの聴覚に直接訴えて、就寝中の電子メールの受信の有無を知らせることができる。また、アラーム音としてのメロディは、電子メールの受信有の場合には緊張感をもたらすもの、受信無の場合には安堵感をもたらすものなど、ユーザの好みに応じて設定することができる。
【００４０】
さらに、就寝中の電子メールの受信は、電子メールの受信の有無に応じて点灯するＬＥＤ１６１の色を異ならせているので、ユーザに対して視覚的にも訴えることができる。
【００４１】
〔実施形態２〕
本発明の他の実施形態について、以下の通り説明する。本実施形態の通信端末装置１は、図３に示した構成に対し、さらに、特定の送信者からの電子メールを受信した場合に、アラーム音を切り替える構成となっている。
【００４２】
本実施形態の通信端末装置１は、同様に図１および図２に示す構成を有している。ただし、音声切替機能設定操作部１３２では、音声切替機能がＯＮの場合の起床時のアラーム音の設定において、特定の相手から電子メールを受信した場合のアラーム音として、メロディ３が設定される。したがって、音声切替機能設定部１０３および音声切替部１０６は、その設定に応じた動作を行う。
【００４３】
＜音声切替制御処理＞
図５は、本実施形態の通信端末装置１における音声切替制御処理を示すフローチャートである。この処理において、Ｓ３１〜Ｓ３２、Ｓ３４〜Ｓ３７およびＳ４１〜Ｓ４２については図３に示したＳ１１〜Ｓ１２、Ｓ１４〜Ｓ１７およびＳ１９〜Ｓ２０の処理と同一であるので、説明を省略する。
【００４４】
Ｓ３３では、就寝中における電子メールの受信有の場合であって、特定の相手以外からの受信有の場合のアラーム音としてメロディ１が設定され、特定の相手からの受信有の場合のアラーム音としてメロディ３が設定され、就寝中における電子メールの受信無の場合のアラーム音としてメロディ２が設定される。
【００４５】
Ｓ３８では、音声切替部１０６は、通信記憶部１４３の記憶内容から、ユーザの就寝中に受信した電子メールが特定の送信者からのものかどうかを判定する。
【００４６】
Ｓ３８での判定の結果、電子メールの送信者が特定の送信者以外である場合（ＮＯ）、Ｓ３９において、音声切替部１０６は、メロディ１を鳴動させるよう、音声設定部１０７に指示する。これにより、音声出力部１５はメロディ２を鳴動させる。
【００４７】
一方、Ｓ３８での判定の結果、電子メールの送信者が特定の送信者である場合（ＹＥＳ）、Ｓ４０において、音声切替部１０６は、メロディ３を鳴動させるよう、音声設定部１０７に指示する。これにより、音声出力部１５はメロディ３を鳴動させる。
【００４８】
本実施形態の通信端末装置１では、ユーザの就寝中において特定の送信者から電子メールを受信した場合に、アラーム音として異なるメロディを鳴動させるので、ユーザは、例えば重要な電子メールの受信状態を直観的に認識することができる。
【００４９】
なお、特定の送信者は、一人に限らず、特定のグループとすることも可能である。また、特定の送信者ごと、または特定のグループごとに個別のメロディを設定することも可能である。
【００５０】
〔実施形態３〕
本発明のさらに他の実施形態について、以下の通り説明する。本実施形態の通信端末装置１は、図３に示した構成に対し、さらに、特定の送信者からの電子メールを受信した場合に、就寝中であっても着信音を鳴動させる構成となっている。
【００５１】
本実施形態の通信端末装置１は、同様に図１および図２に示す構成を有している。ただし、音声切替部１０６は、通信制御部１０１から電子メール受信情報を受け、その電子メールの送信者が特定の送信者であった場合に、ユーザが就寝中であっても、音声設定部１０７に通常の電子メール着信音を鳴動させるように指示する。
【００５２】
＜音声切替制御処理＞
図６は、本実施形態の通信端末装置１における音声切替制御処理を示すフローチャートである。この処理において、Ｓ５１〜Ｓ５４、Ｓ５９〜Ｓ６１およびＳ６２〜Ｓ６３については図３に示したＳ１１〜Ｓ１４、Ｓ１６〜Ｓ１８およびＳ１９〜Ｓ２０の処理と同一であるので、説明を省略する。
【００５３】
音声切替部１０６は、通信制御部１０１から電子メールの受信を通知されると（Ｓ５５にてＹＥＳ）、通信記憶部１４３の電子メールに関する情報から、その電子メールの送信者が特定の送信者かどうかを判定する（Ｓ５６）。この判定の結果、電子メールの送信者が特定の送信者である場合（ＹＥＳ）、音声設定部１０７に通常の電子メール着信音を鳴動させるように指示する。これにより、音声出力部１５は通常の電子メール着信音を鳴動させる（Ｓ５７）。Ｓ５５からＳ５７までの動作は、アラーム機能にて指定された起床時刻に到達するまで繰り返される（Ｓ５８）。
【００５４】
本実施形態の通信端末装置１では、ユーザは就寝中の設定であっても特定の相手からの電子メールの受信を把握することができる。すなわち、ユーザは、就寝中であっても確認が必要である重要な電子メールの受信を認識することができる。また、起床時のアラームは就寝中に電子メールがあったことを示すメロディ１が鳴動することになるので、使用者は就寝中であったが為に着信音を認識できなくても、電子メールの確認漏れを防ぐことができる。
【００５５】
〔変形例〕
以上の実施形態では、アラーム音（メロディ）は、単一のアラーム音を鳴動させる構成としているが、複数のアラーム音（メロディ）を同時に鳴動させる構成であってもよい。例えば、就寝中の電子メールの受信無の場合にはメロディ２のみを鳴動させ、受信有の場合にはメロディ１とメロディ２を同時に鳴動させる構成でもよい。
【００５６】
また、起床時に鳴動させるアラームとしては、メロディではなく、「電子メールを受信しました」等のメッセージの音声ファイルを使用してもよい。
【００５７】
〔ソフトウェアによる実現例〕
通信端末装置１の制御ブロック（特に音声切替制御部１１）は、集積回路（ＩＣチップ）等に形成された論理回路（ハードウェア）によって実現してもよいし、ＣＰＵ（Central Processing Unit）を用いてソフトウェアによって実現してもよい。
【００５８】
後者の場合、通信端末装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５９】
〔まとめ〕
本発明の態様１に係る通信端末装置は、アラーム機能を有する通信端末装置において、通信により情報を受信する通信部１２と、所定期間を指定する期間指定部（就寝開始設定部１０４、就寝開始設定部１３３）と、アラーム音を出力する音声出力部１５と、前記所定期間の経過後に、前記通信部にて前記所定期間内に前記情報の受信があった場合に、第１のアラーム音が出力され、前記通信部にて前記所定期間内に前記情報の受信がなかった場合に、第２のアラーム音が出力されるように、前記音声出力部（音声出力部１５、音声設定部１０７）を制御する音声切替制御部（音声切替制御部１１、音声切替部１０６）とを備えている構成である。
【００６０】
本発明の態様５に係る通信端末装置のアラーム鳴動方法は、アラーム機能を有する通信端末装置のアラーム鳴動方法において、通信により情報を受信する工程と、所定期間を指定する期間指定工程と、前記アラーム音を出力する音声出力工程と、前記音声出力工程において、前記所定期間の経過後に、前記所定期間内に前記情報の受信があった場合に、第１のアラーム音を出力させ、前記所定期間内に前記情報の受信がなかった場合に、第２のアラーム音を出力させる音声切替制御工程とを備えている構成である。
【００６１】
上記の構成によれば、就寝中等の所定期間の経過後に、所定期間内に情報（例えば電子メール）の受信があった場合に、第１のアラーム音が出力され、所定期間内に情報の受信がなかった場合に、第２のアラーム音が出力される。これにより、所定期間の経過後には、直感的に情報の受信の有無を認識することができる。
【００６２】
本発明の態様２に係る通信端末装置は、本発明の第１または第２の態様に係る通信端末装置において、前記音声切替制御部（音声切替制御部１１、音声切替部１０６）は、前記所定期間の経過後に、前記所定期間内に前記情報の受信があった場合であって、前記情報の送信者が特定の送信者である場合に、第３のアラーム音が出力され、前記情報の送信者が特定の送信者以外である場合に、第１のアラーム音が出力されるように、前記音声出力部（音声出力部１５、音声設定部１０７）を制御する構成としてもよい。
【００６３】
上記の構成によれば、所定期間内に特定の送信者からの情報の受信があった場合に、異なるアラーム音が出力されるので、例えば重要な電子メールの受信状態を直観的に認識させることができる。
【００６４】
本発明の態様３に係る通信端末装置は、本発明の第１または第２の態様に係る通信端末装置において、前記音声切替制御部（音声切替制御部１１、音声切替部１０６）は、前記所定期間内に特定の送信者からの前記情報の受信があった場合に、所定のアラーム音が出力されるように、前記音声出力部（音声出力部１５、音声設定部１０７）を制御する構成としてもよい。
【００６５】
上記の構成によれば、就寝中等の所定期間内であっても、特定の送信者からの情報を受信した場合にはアラーム音が出力される。これにより、就寝中等の所定期間内であっても確認が必要である重要な情報の受信を認識することができる。
【００６６】
本発明の態様４に係る通信端末装置は、本発明の第１の態様に係る通信端末装置において、複数の色による発光が可能な発光装置（ＬＥＤ１６１）を備え、前記音声切替制御部（音声切替制御部１１、音声切替部１０６）は、前記所定期間の経過後に、前記所定期間内に前記情報の受信があった場合に、第１の色による発光が行われ、前記所定期間内に前記情報の受信がなかった場合に、第２の色による発光が行われるように、前記発光装置を制御する構成としてもよい。
【００６７】
上記の構成によれば、就寝中等の所定期間の経過後に、所定期間内に情報の受信があった場合に、アラーム音が切り替えられるのに加えて、発光装置の発光色が切り替えられる。これにより、所定期間中における情報の受信の有無を、聴覚だけでなく視覚にも訴えることができる。
【００６８】
本発明の各態様に係る通信端末装置は、コンピュータによって実現してもよく、この場合には、コンピュータを上記通信端末装置が備える各部として動作させることにより上記通信端末装置をコンピュータにて実現させる通信端末装置の制御プログラム、およびそれを記録したコンピュータ読み取り可能な記録媒体も、本発明の範疇に入る。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７０】
本発明は、アラーム機能を有した通信端末装置、特に携帯電話等の携帯型の通信端末装置に、好適に利用することができる。
【符号の説明】
【００７１】
１      通信端末装置
１１    音声切替制御部
１２    通信部
１３    操作部
１４    記憶部
１５    音声出力部
１６    表示部
１０１  通信制御部
１０２  アラーム設定部
１０３  音声切替機能設定部
１０４  就寝開始設定部（期間指定部）
１０５  タイマー監視部
１０６  音声切替部（音声切替制御部）
１０７  音声設定部（音声出力部）
１０８  表示設定部
１２１  パケット通信部
１３１  アラーム機能設定操作部
１３２  音声切替機能設定操作部
１３３  就寝開始設定操作部（期間指定部）
１４１  音声ファイル記憶部
１４２  設定値記憶部
１４３  通信記憶部
１６１  ＬＥＤ（発光装置）
【図１】
2014146858.tif 000003
【図２】
2014146858.tif 000004
【図３】
2014146858.tif 000005
【図４】
2014146858.tif 000006
【図５】
2014146858.tif 000007
【図６】
2014146858.tif 000008